(57)【要約】【課題】低温外気における暖房運転時の室外機用熱交換器に付着する水（凝縮水、結露水）を排水すると共に、通風部の着霜を遅延し、水及び着霜が起因する風量及び熱交換性能の低下を抑制すること。【解決手段】左右に対峙する一対のヘッダーパイプ２ａ，２ｂと、両ヘッダーパイプ２ａ，２ｂに接続される互いに平行な複数の扁平チューブ３と、扁平チューブ３間に接合され、隣接する山部４ａと谷部４ｂ間に通風路４ｃを有するコルゲートフィン４と、コルゲートフィン４の谷頂点間に保水される水を下方に排水する排水機構１０と、を具備するコルゲートフィン式熱交換器において、コルゲートフィン４は、コルゲートフィン４の山頂点側及び谷頂点側のうちの少なくとも谷頂点側の位置に、隣接する通風路４ｃを連通する縦スリット５を切り起こして形成されるルーバー６ａを、コルゲートフィン４の幅方向に互いに平行に複数形成してなる。【選択図】  図４
2019045032.tif 000002
【特許請求の範囲】
【請求項１】
左右に対峙する一対のヘッダーパイプと、上記両ヘッダーパイプに接続される互いに平行な複数の扁平チューブと、上記扁平チューブ間に接合され、隣接する山部と谷部間に通風路を有するコルゲートフィンと、上記偏平チューブの幅方向の端部外面に設けられ、上記コルゲートフィンの谷頂点間に保水される水を下方に排水する排水機構と、を具備するコルゲートフィン式熱交換器であって、
上記コルゲートフィンは、該コルゲートフィンの上記山頂点側及び谷頂点側のうちの少なくとも谷頂点側の位置に、隣接する上記通風路を連通する導水部を、コルゲートフィンの幅方向に互いに平行に複数形成してなる、ことを特徴とするコルゲートフィン式熱交換器。
【請求項２】
請求項１に記載のコルゲートフィン式熱交換器において、
上記導水部は、上記コルゲートフィンの高さの１／２以下であって、隣接する上記通風路を連通する縦スリットを切り起こして形成されるルーバーにて形成されている、ことを特徴とするコルゲートフィン式熱交換器。
【請求項３】
請求項２に記載のコルゲートフィン式熱交換器において、
上記コルゲートフィンは、該コルゲートフィンの山頂点側の位置に、上記コルゲートフィンの高さの１／２以下であって、隣接する上記通風路を連通する縦スリットを切り起こして形成される上側のルーバーを、コルゲートフィンの幅方向に互いに平行に複数形成してなり、かつ、上記上側のルーバーと上記コルゲートフィンの谷頂点側の位置に形成される下側の上記ルーバーとの間に、コルゲートフィンの幅方向に沿う通風部を形成してなる、ことを特徴とするコルゲートフィン式熱交換器。
【請求項４】
請求項２又は３に記載のコルゲートフィン式熱交換器において、
上記ルーバーは、風上側に位置する風上側ルーバー群と、風下側に位置する風下側ルーバー群とが適宜間隔をおいて形成されている、ことを特徴とするコルゲートフィン式熱交換器。
【請求項５】
請求項１に記載のコルゲートフィン式熱交換器において、
上記導水部は、貫通孔にて形成されている、ことを特徴とするコルゲートフィン式熱交換器。
【請求項６】
請求項５に記載のコルゲートフィン式熱交換器において、
上記コルゲートフィンの山頂点側の位置に、隣接する上記通風路を連通する上部貫通孔を、コルゲートフィンの幅方向に互いに平行に複数形成し、上記上部貫通孔と上記谷頂点側に形成される貫通孔とを互いに千鳥状に配列し、かつ、上記上部貫通孔と上記谷頂点側に形成される貫通孔との間に、コルゲートフィンの幅方向に沿う通風部を形成してなる、ことを特徴とするコルゲートフィン式熱交換器。
【請求項７】
請求項１、２又は５のいずれかに記載のコルゲートフィン式熱交換器において、
上記コルゲートフィンは、上記導水部が設けられていない箇所の上記通風路に面する表裏面が凹凸状に形成されている、ことを特徴とするコルゲートフィン式熱交換器。
【発明の詳細な説明】
【技術分野】
【０００１】
この発明は、コルゲートフィン式熱交換器に関するもので、更に詳細には、コルゲートフィンと扁平チューブを互いに平行に水平方向に配置したコルゲートフィン式熱交換器に関するものである。
【背景技術】
【０００２】
一般に、左右に対峙する一対のヘッダーパイプと、上記両ヘッダーパイプに接続される互いに平行な複数の熱交換チューブ（以下に偏平チューブという）と、これら扁平チューブ間に接合され、隣接する山部と谷部間に通風路を有するコルゲートフィンと、を具備するコルゲートフィン式熱交換器が広く使用されている。
【０００３】
この種のコルゲートフィン式熱交換器を蒸発器として使用した場合、表面に凝縮水が付着し通風の妨げとなり、熱交換性能を低下させる問題がある。
【０００４】
この問題を解決する手段として、扁平チューブの幅方向の端部外面に、扁平チューブの上下側に隣接するコルゲートフィンの谷頂点間に保水される水と接触して誘引するエッジ部を有する流水路を扁平チューブの長手方向に適宜ピッチをおいて複数形成してなるコルゲートフィン式熱交換器が知られている（例えば、特許文献１参照）。
特許文献１に記載の熱交換器によれば、流水路が排水機能として働くことで水が排出され、扁平チューブが水平方向に配置された蒸発器として使用することができる。
【０００５】
なお、特許文献１に記載のコルゲートフィン式熱交換器において、コルゲートフィンに設けられた複数の縦スリットを切り起こしてルーバーを形成することで、熱交換性能を向上させている。
【先行技術文献】
【特許文献】
【０００６】
【特許文献１】特開２０１０−２４３１４７号公報（図１，図２）
【発明の概要】
【発明が解決しようとする課題】
【０００７】
ところで、室外機用熱交換器においては、暖房運転時、外気温度が低いと、熱交換器に霜が付着して、通風量及び熱交換性能が低下する懸念がある。
また、霜は風の当たる先端部に付きやすく、特にフィンのルーバー部は霜の成長が早いため、着霜の観点ではルーバーは望ましくない。
【０００８】
しかしながら、特許文献１に記載のコルゲートフィン式熱交換器の排水メカニズムは、コルゲートフィンの山谷に付着した水は、谷部から山部へ移動し、山部すなわち谷頂点間から扁平チューブ側壁の流水路（排水機構）を介して下段のコルゲートフィンの谷部へと流れる。また、コルゲートフィンの谷部から山部へ移動する際、コルゲートフィンに設けられた隣接する通風路を連通する縦スリット（導水部）を通るため、導水部は必要であり無くすことはできない。
【０００９】
この発明は、上記事情に鑑みてなされたもので、低温外気における暖房運転時の室外機用熱交換器に付着する水（凝縮水、結露水）を排水すると共に、通風部の着霜を遅延し、水（凝縮水、結露水）及び着霜が起因する風量及び熱交換性能の低下を抑制するコルゲートフィン式熱交換器を提供することを課題とする。
【課題を解決するための手段】
【００１０】
上記課題を達成するために、この発明は、左右に対峙する一対のヘッダーパイプと、上記両ヘッダーパイプに接続される互いに平行な複数の扁平チューブと、上記扁平チューブ間に接合され、隣接する山部と谷部間に通風路を有するコルゲートフィンと、上記偏平チューブの幅方向の端部外面に設けられ、上記コルゲートフィンの谷頂点間に保水される水を下方に排水する排水機構と、を具備するコルゲートフィン式熱交換器であって、上記コルゲートフィンは、該コルゲートフィンの上記山頂点側及び谷頂点側のうちの少なくとも谷頂点側の位置に、隣接する上記通風路を連通する導水部を、コルゲートフィンの幅方向に互いに平行に複数形成してなる、ことを特徴とする（請求項１）。
【００１１】
この発明において、上記導水部は、上記コルゲートフィンの高さの１／２以下であって、隣接する上記通風路を連通する縦スリットを切り起こして形成されるルーバーにて形成するのが好ましい（請求項２）。
【００１２】
上記導水部を、縦スリットを切り起こして形成されるルーバーにて形成した場合、上記コルゲートフィンは、該コルゲートフィンの山頂点側の位置に、上記コルゲートフィンの高さの１／２以下であって、隣接する上記通風路を連通する縦スリットを切り起こして形成される上側のルーバーを、コルゲートフィンの幅方向に互いに平行に複数形成し、かつ、上記上側のルーバーと上記コルゲートフィンの谷頂点側の位置に形成される下側の上記ルーバーとの間に、コルゲートフィンの幅方向に沿う通風部を形成するのが好ましい（請求項３）。
【００１３】
また、上記導水部を、縦スリットを切り起こして形成されるルーバーにて形成した場合、  上記ルーバーは、風上側に位置する風上側ルーバー群と、風下側に位置する風下側ルーバー群とが適宜間隔をおいて形成されているのが好ましい（請求項４）。
【００１４】
また、この発明において、上記導水部は、貫通孔にて形成されるものであってもよい（請求項５）。
【００１５】
上記導水部を貫通孔にて形成した場合、上記コルゲートフィンの山頂点側の位置に、隣接する上記通風路を連通する上部貫通孔を、コルゲートフィンの幅方向に互いに平行に複数形成し、上記上部貫通孔と上記谷頂点側に形成される貫通孔とを互いに千鳥状に配列し、かつ、上記上部貫通孔と上記谷頂点側に形成される貫通孔との間に、コルゲートフィンの幅方向に沿う通風部を形成するのが好ましい（請求項６）。
【００１６】
また、請求項１、２又は５のいずれかに記載のコルゲートフィン式熱交換器において、  上記コルゲートフィンは、上記導水部が設けられていない箇所の上記通風路に面する表裏面が凹凸状に形成されているのが好ましい（請求項７）。
【００１７】
請求項１，２，５に記載の発明によれば、コルゲートフィンの山谷に付着した水は、谷部から山部へ移動する際、導水部（ルーバーを構成する縦スリット、貫通孔）を通って谷頂点間に流れ、谷頂点間に集まった水は、排水機構によって順次下方側のコルゲートフィンに流れる。また、通風部には着霜の起点となるルーバー等のエッジがないため、コルゲートフィンの着霜をし難くすると共に遅延させることができる。
【００１８】
請求項２に記載の発明によれば、ルーバーを設けることで、乱流効果等による熱伝達性能の向上が図れる。また、ルーバーはコルゲートフィンの高さの１／２以下に形成することで、通風部には着霜の起点となるルーバー等のエッジがないため、コルゲートフィンの着霜をし難くすると共に遅延させることができる。
【００１９】
請求項３に記載の発明によれば、コルゲートフィンの山谷に付着した水は、谷部から山部へ移動する際、上側及び下側のルーバーを構成する上下の縦スリットを通って谷頂点間に流れ、谷頂点間に集まった水は、排水機構によって順次下方側のコルゲートフィンに流れる。
また、上側のルーバーと下側のルーバーとの間に形成される通風部には着霜の起点となるルーバー等のエッジがないため、コルゲートフィンの着霜をし難くすると共に遅延させることができる。
【００２０】
請求項４に記載の発明によれば、風上側に位置する風上側ルーバー群と、風下側に位置する風下側ルーバー群とを適宜間隔をおいて形成することで、更に乱流効果等を高めることができ、熱伝達性能の向上が図れる。
【００２１】
請求項６に記載の発明によれば、コルゲートフィンの山谷に付着した水は、谷部から山部へ移動する際、上部貫通孔及び谷頂点側に形成される貫通孔を通って谷頂点間に流れ、谷頂点間に集まった水は、排水機構によって順次下方側のコルゲートフィンに流れる。
また、上部貫通孔と下部貫通孔との間に形成される通風部には着霜の起点となるルーバー等のエッジがないため、コルゲートフィンの着霜をし難くすると共に遅延させることができる。
【００２２】
請求項７に記載の発明によれば、導水部が設けられていない箇所の通風路に面する表裏面が凹凸状に形成されることで、平坦面に比べ空気の流れを乱流化し、温度境界層を小さくすることができる。
【発明の効果】
【００２３】
この発明によれば、上記のように構成されているので、以下のような優れた効果が得られる。
【００２４】
（１）請求項１，２，５に記載の発明によれば、低温外気における暖房運転時の室外機用熱交換器に付着する水（凝縮水、結露水）を排水すると共に、通風部の着霜を遅延し、水（凝縮水、結露水）及び着霜が起因する風量及び熱交換性能の低下を抑制することができる。
【００２５】
（２）請求項２に記載の発明によれば、上記（１）に加えて、更に乱流効果等による熱伝達性能の向上が図れる。また、ルーバーはコルゲートフィンの高さの１／２以下に形成することで、通風部には着霜の起点となるルーバー等のエッジがないため、コルゲートフィンの着霜をし難くすると共に遅延させることができる。
【００２６】
（３）請求項３に記載の発明によれば、コルゲートフィンの山谷に付着した水は、谷部から山部へ移動する際、上側及び下側のルーバーを構成する上下の縦スリットを通って谷頂点間に流れるので、上記（２）に加えて、更にコルゲートフィンに付着した水（凝縮水、結露水）を円滑に排水することができる。
【００２７】
（４）請求項４に記載の発明によれば、上記（１）〜（３）に加えて、更に乱流効果等を高めることができ、熱伝達性能の向上が図れる。
【００２８】
（５）請求項６に記載の発明によれば、コルゲートフィンの山谷に付着した水は、谷部から山部へ移動する際、上部貫通孔及び谷頂点側に形成される貫通孔を通って谷頂点間に流れるので、上記（１）に加えて、更にコルゲートフィンに付着した水（凝縮水、結露水）を円滑に排水することができる。
【００２９】
（６）請求項７に記載の発明によれば、空気の流れを乱流化し、温度境界層を小さくすることができるので、上記（１）に加えて、更に熱交換性能の向上を図ることができる。
【図面の簡単な説明】
【００３０】
【図１】この発明に係るコルゲートフィン式熱交換器の第１実施形態を示す概略正面図である。
【図２】図１のＩ部拡大正面図である。
【図３】第１実施形態における凝縮水の排水状態を示す要部拡大断面図である。
【図４】この発明に係るコルゲートフィン式熱交換器の第１実施形態の一部を断面で示す斜視図である。
【図５】この発明におけるコルゲートフィンの第１実施形態を示す要部斜視図である。
【図６】上記第１実施形態のコルゲートフィンにおける空気の流れを示す概略側面図である。
【図７】この発明に係るコルゲートフィン式熱交換器の第２実施形態の要部拡大正面図である。
【図８】上記第２実施形態における凝縮水の排水状態を示す要部拡大断面図である。
【図９】この発明におけるコルゲートフィンの第２実施形態を示す要部斜視図である。
【図１０】上記第２実施形態のコルゲートフィンにおける空気の流れを示す概略側面図である。
【図１１】この発明におけるコルゲートフィンの第３実施形態を示す要部斜視図である。
【図１２】上記第３実施形態のコルゲートフィンにおける空気の流れを示す概略側面図である。
【図１３】この発明におけるコルゲートフィンの第４実施形態を示す要部斜視図である。
【図１４】上記第４実施形態のコルゲートフィンにおける空気の流れを示す概略側面図である。
【図１５】上記第４実施形態における凝縮水の排水状態を示す要部拡大断面図である。
【図１６】この発明におけるコルゲートフィンの第５実施形態を示す要部斜視図である。
【図１７】上記第５実施形態のコルゲートフィンにおける空気の流れを示す概略側面図である。
【図１８】上記第５実施形態における凝縮水の排水状態を示す要部拡大断面図である。
【発明を実施するための形態】
【００３１】
以下に、この発明を実施するための形態について、添付図面に基づいて詳細に説明する。ここでは、この発明に係る熱交換器を蒸発器に適用した場合について説明する。なお、添付図面はこの発明の構造を判りやすくするために概略的に図示したもので、各部の寸法比率は図面に図示したものに限定されるものではない。
【００３２】
＜第１実施形態＞
この発明に係るコルゲートフィン式熱交換器１は、図１に示すように、それぞれアルミニウム（アルミニウム合金を含む）製の左右に対峙する一対のヘッダーパイプ２ａ，２ｂと、これらヘッダーパイプ２ａ，２ｂ間に互いに平行に水平方向に接続（連結）される複数の扁平チューブ３と、扁平チューブ３間に接合され、隣接する山部４ａと谷部４ｂ間に通風路４ｃを有するコルゲートフィン４と、をろう付けによって接合してなる。
【００３３】
なお、扁平チューブ３には複数に区画された熱媒体流路３ａが形成されている。また、上下端のコルゲートフィン４の上部外方側及び下部開放側には、それぞれアルミニウム製のサイドプレート７がろう付けされている。また、ヘッダーパイプ２ａ，２ｂの上下開口端にはアルミニウム製のエンドキャップ８がろう付けされている。
【００３４】
上記のように構成される熱交換器１において、扁平チューブ３の幅方向の端部外面には、排水機構１０が設けられている。排水機構１０は、図１ないし図４に示すように、扁平チューブ３の幅方向の端部外面に、該扁平チューブ３の上下側に隣接するコルゲートフィン４の谷頂点間に保水される水と接触して誘引するエッジ部１２を有する少なくとも一部がコルゲートフィン４の側端部の内側に位置する流水路１３が扁平チューブ３の長手方向に沿って等ピッチに設けられた構造となっている。
【００３５】
この場合、扁平チューブ３は、幅方向の側端部に、扁平チューブ３の長手方向に沿って薄肉の鍔部（図示せず）が延設されるアルミニウム製押出形材にて形成され、鍔部に等間隔の切込みを介して傾斜状に切り起こされる等ピッチの切起し片１１によって、扁平チューブ３の上下側に隣接するコルゲートフィン４の谷頂点間に保水される水を誘引する流水路１３が形成される。
【００３６】
一方、コルゲートフィン４は、薄板を所定の高さになるように山−谷折りを交互に繰り返して、隣接する逆Ｕ字状の山部４ａとＵ字状の谷部４ｂ間に通風路４ｃが形成されており、熱交換器１の正面視では、略Ｕ字形状の連続波形に形成されている。
【００３７】
また、コルゲートフィン４は、図４ないし図６に示すように、谷頂点側の位置に、複数のルーバー６ａが形成されている。この場合、ルーバー６ａは、コルゲートフィン４の高さの１／２以下であって、隣接する通風路４ｃを連通する縦スリット５を隣接する山部４ａ及び谷部４ｂの通風路４ｃ側に切り起こして形成され、コルゲートフィン４の幅方向に互いに平行に複数形成されている。
【００３８】
また、ルーバー６ａは、風上側に位置する風上側ルーバー群６Ｘと、風下側に位置する風下側ルーバー群６Ｙとが適宜間隔をおいて形成されている。
【００３９】
このように、ルーバー６ａを設けることにより、熱交換性能の向上が図れる、すなわち、谷頂点側の位置に所定角度に形成された所定数のルーバー６ａを設けることで、コルゲートフィンに付着した水（凝縮水、結露水）はルーバー６ａを構成する縦スリット５を通って谷部４ｂから山部４ａすなわち谷頂点間へ流れる。したがって、排水を円滑にすることができると共に、乱流効果等により熱伝達性能の向上が図れる。
【００４０】
また、ルーバー６ａを谷頂点側の位置に設けることで、ルーバー６ａの上方側の通風部４ｄには着霜の起点となるルーバー等のエッジがないため、コルゲートフィン４の着霜をし難くすると共に遅延させることができるので、着霜が起因する風量及び熱交換性能の低下を抑制することができる。
【００４１】
上記のように構成される熱交換器１の排水メカニズムは、図３に示すように、Ｕ字形状（谷折り）フィン表面に付着した水（凝縮水、結露水）は、下段への水路がないため、コルゲートフィン４の幅方向に互いに平行に設けられた複数の縦スリット５を切り起こして形成されたルーバー６ａを介して隣の逆Ｕ字形状（山折り）部に移動し、逆Ｕ字形状部すなわちコルゲートフィン４の谷頂点間に集まった水（凝縮水、結露水）は、下方の開口部から、扁平チューブ３に形成された流水路１３を形成する切起し片１１のエッジ部１２と接触することで、流れ落ちる起点となり、流水路１３内に誘引される。このようにして、順次下方側のコルゲートフィン４に流れ込むといったメカニズムをスムーズに繰り返すことにより、排水が促進される。
【００４２】
この排水メカニズムにおいて、扁平チューブ３に形成される流水路１３のピッチがコルゲートフィン４のピッチ（山頂点−谷頂点寸法）の４倍以上になると、コルゲートフィン４の保水力に対し、上下に連続する排水路が少なくなるため、排水スピードが極端に遅くなり、実用上有効な排水効果が得られなくなる。そのため、図２に示すように、流水路１３すなわち切起し片１１のピッチＰ１はコルゲートフィン４のピッチＰ（山頂点−谷頂点寸法）の４倍以下が好ましい。これにより、コルゲートフィン４の谷頂点間に少なくとも１つの切起し片１１が位置するので、排水性の向上が図れる。
【００４３】
＜第２実施形態＞
上記第１実施形態では、コルゲートフィン４は、谷頂点側の位置に複数のルーバー６ａを形成した場合であるが、谷頂点側の位置に加えて山頂点側の位置に複数のルーバー６ｂを形成したコルゲートフィン４Ａとしてもよい。
【００４４】
第２実施形態のコルゲートフィン４Ａは、図７ないし図１０に示すように、コルゲートフィン４Ａの山頂点側の位置に、コルゲートフィン４Ａの高さの１／２以下であって、隣接する通風路４ｃを連通する縦スリット５を切り起こして形成される上側のルーバー６ｂを、コルゲートフィン４Ａの幅方向に互いに平行に複数形成してなり、かつ、上側のルーバー６ｂとコルゲートフィン４Ａの谷頂点側の位置に形成される下側のルーバー６ａとの間に、コルゲートフィン４Ａの幅方向に沿う通風部４ｄを形成してなる。
【００４５】
また、ルーバー６ｂは、風上側に位置する風上側ルーバー群６Ｘと、風下側に位置する風下側ルーバー群６Ｙとが適宜間隔をおいて形成されている。
【００４６】
なお、第２実施形態において、その他の部分は第１実施形態と同じであるので、同一部分には同一符号を付して、説明は省略する。
【００４７】
第２実施形態によれば、谷頂点側の位置と山頂点側の位置に所定角度に形成された所定数のルーバー６ａ，６ｂを設けることで、コルゲートフィン４Ａに付着した水（凝縮水、結露水）はルーバー６ａ，６ｂを構成する上下の縦スリット５を通って谷部４ｂから山部４ａすなわち谷頂点間へ流れる。
【００４８】
そして、コルゲートフィン４Ａの谷頂点間に集まった水（凝縮水、結露水）は、下方の開口部から、扁平チューブ３に形成された流水路１３を形成する切起し片１１のエッジ部１２と接触することで、流れ落ちる起点となり、流水路１３内に誘引される。このようにして、順次下方側のコルゲートフィン４Ａに流れ込むといったメカニズムをスムーズに繰り返すことにより、排水が促進される。
したがって、コルゲートフィン４Ａに付着した水（凝縮水、結露水）の排水を円滑にすることができると共に、乱流効果等により熱伝達性能の向上が図れる。
【００４９】
＜第３実施形態＞
第３実施形態は、第１実施形態のコルゲートフィン４に更に熱交換性能の向上が図れるようにした場合である。
すなわち、第３実施形態のコルゲートフィン４Ｂは、ルーバー６ａを形成した以外の箇所すなわちコルゲートフィン４Ｂの上半分以上の箇所を山型に切り起こして凹凸部２０を設けることで、ルーバー６ａを形成した以外の箇所の通風路４ｃに面する表裏面を凹凸状に形成した場合である。
【００５０】
なお、第３実施形態において、その他の部分は第１実施形態と同じであるので、同一部分には同一符号を付して、説明は省略する。
【００５１】
第３実施形態によれば、ルーバー６ａを形成した以外の箇所の通風路４ｃに面する表裏面を凹凸状に形成することにより、平坦面に比べ空気の流れを乱流化し、温度境界層を小さくすることができ、熱交換性能の向上が図れる。
【００５２】
＜第４実施形態＞
第４実施形態は、上記第１実施形態のルーバー６ａに代えて貫通孔３０を複数形成したコルゲートフィン４Ｃを用いた場合である。
【００５３】
すなわち、第４実施形態のコルゲートフィン４Ｃは、図１３ないし図１５に示すように、谷頂点側の位置に、隣接する通風路４ｃを連通する貫通孔３０をコルゲートフィン４Ｃの幅方向に互いに平行に複数形成してなる。
【００５４】
なお、第４実施形態において、その他の部分は第１実施形態と同じであるので、同一部分には同一符号を付して、説明は省略する。
【００５５】
第４実施形態によれば、谷頂点側の位置に形成された所定数の貫通孔３０を設けることで、コルゲートフィンに付着した水（凝縮水、結露水）は貫通孔３０を通って谷部４ｂから山部４ａすなわち谷頂点間へ流れる。
【００５６】
そして、コルゲートフィン４Ｃの谷頂点間に集まった水（凝縮水、結露水）は、下方の開口部から、扁平チューブ３に形成された流水路１３を形成する切起し片１１のエッジ部１２と接触することで、流れ落ちる起点となり、流水路１３内に誘引される。このようにして、順次下方側のコルゲートフィン４Ｃに流れ込むといったメカニズムをスムーズに繰り返すことにより、排水が促進される。
したがって、コルゲートフィン４Ｃに付着した水（凝縮水、結露水）の排水を円滑にすることができる。また、貫通孔３０以外の通風部４ｄには着霜の起点となるルーバー等のエッジがないため、コルゲートフィン４Ｃの着霜をし難くすると共に遅延させることができる。
【００５７】
なお、第４実施形態において、貫通孔３０を形成した以外の箇所すなわちコルゲートフィン４Ｃの上半分以上の箇所を山型に切り起こして凹凸部２０を設けることで、貫通孔３０を形成した以外の箇所の通風路４ｃに面する表裏面を凹凸状に形成してもよい。
【００５８】
このように、貫通孔３０を形成した以外の箇所の通風路４ｃに面する表裏面を凹凸状に形成することにより、平坦面に比べ空気の流れを乱流化し、温度境界層を小さくすることができ、熱交換性能の向上が図れる。
【００５９】
＜第５実施形態＞
上記第４実施形態では、コルゲートフィン４Ｃは、谷頂点側の位置に複数の貫通孔３０ａを形成した場合であるが、谷頂点側の位置に加えて山頂点側の位置に複数の貫通孔３０ｂを形成したコルゲートフィン４Ｄとしてもよい。
【００６０】
第５実施形態のコルゲートフィン４Ｄは、図１６ないし図１８に示すように、コルゲートフィン４Ｄの山頂点側の位置に、隣接する通風路４ｃを連通する上部貫通孔３０ａを、コルゲートフィン４Ｄの幅方向に互いに平行に複数形成し、上部貫通孔３０ａと谷頂点側に形成される貫通孔３０とを互いに千鳥状に配列し、かつ、上部貫通孔３０ａと谷頂点側に形成される貫通孔３０との間に、コルゲートフィン４Ｄの幅方向に沿う通風部４ｄを形成してなる。
【００６１】
なお、第５実施形態において、その他の部分は第１実施形態と同じであるので、同一部分には同一符号を付して、説明は省略する。
【００６２】
第５実施形態によれば、谷頂点側の位置と山頂点側の位置に所定数の貫通孔３０，３０ａを設けることで、コルゲートフィン４Ｄに付着した水（凝縮水、結露水）は上下の貫通孔３０，３０ａを通って谷部４ｂから山部４ａすなわち谷頂点間へ流れる。
【００６３】
そして、コルゲートフィン４Ｄの谷頂点間に集まった水（凝縮水、結露水）は、下方の開口部から、扁平チューブ３に形成された流水路１３を形成する切起し片１１のエッジ部１２と接触することで、流れ落ちる起点となり、流水路１３内に誘引される。このようにして、順次下方側のコルゲートフィン４Ａに流れ込むといったメカニズムをスムーズに繰り返すことにより、排水が促進される。また、貫通孔３０以外の通風部４ｄには着霜の起点となるルーバー等のエッジがないため、コルゲートフィン４Ｄの着霜をし難くすると共に遅延させることができる。
【００６４】
＜その他の実施形態＞
（１）上記第２実施形態では導水部がルーバー６ａ，６ｂによって形成され、第５実施形態では導水部が貫通孔３０，３０ａによって形成される場合について説明したが、第２実施形態と第５実施形態を組み合わせた構造としてもよい。すなわち、コルゲートフィンの谷頂点側の位置にルーバー６ａ又は貫通孔３０を複数形成し、山頂点側の位置に貫通孔３０ａ又はルーバー６ｂを複数形成した構造としてもよい。
【００６５】
（２）上記実施形態では、コルゲートフィン４がＵ字状の山−谷折りを交互に繰り返した略Ｕ字形状の連続波形状に形成されているが、Ｖ字状の山−谷折りを交互に繰り返した略Ｖ字形状の連続波形状に形成されるコルゲートフィンであってもよい。
【００６６】
（３）上記実施形態では、排水機構１０を構成する流水路１３は、扁平チューブ３の上下側に隣接するコルゲートフィン４の谷頂点間に保水される水と接触して誘引するエッジ部１２を有する場合について説明したが、排水機構は必ずしもこのような構造である必要はない。例えば、流水路を、扁平チューブの幅方向の端部に上下に渡って傾斜状又は鉛直状に切り欠かれた溝部にて形成した排水機構であってもよい。
【符号の説明】
【００６７】
１  熱交換器
２ａ，２ｂ  ヘッダーパイプ
３  扁平チューブ
４，４Ａ，４Ｂ，４Ｃ，４Ｄ  コルゲートフィン
４ａ  山部
４ｂ  谷部
４ｃ  通風路
４ｄ  通風部
５  縦スリット（導水部）
６ａ，６ｂ  ルーバー
６Ｘ  風上側ルーバー群
６Ｙ  風下側ルーバー群
１０  排水機構
２０  凹凸部
３０  貫通孔（導水部）
３０ａ  上部貫通孔（導水部）
【図１】
2019045032.tif 000003
【図２】
2019045032.tif 000004
【図３】
2019045032.tif 000005
【図４】
2019045032.tif 000006
【図５】
2019045032.tif 000007
【図６】
2019045032.tif 000008
【図７】
2019045032.tif 000009
【図８】
2019045032.tif 000010
【図９】
2019045032.tif 000011
【図１０】
2019045032.tif 000012
【図１１】
2019045032.tif 000013
【図１２】
2019045032.tif 000014
【図１３】
2019045032.tif 000015
【図１４】
2019045032.tif 000016
【図１５】
2019045032.tif 000017
【図１６】
2019045032.tif 000018
【図１７】
2019045032.tif 000019
【図１８】
2019045032.tif 000020